(57)【要約】【課題】チラシを頒布したい地域に配達可能な新聞販売店に必要な部数の注文を確実かつ容易に行うことができる。【解決手段】発注者端末４と受注者端末５と共にネットワークを構成する折り込みチラシ発注装置３である。当該装置３は、区分された地図データを格納する地図データ記憶手段８と、受注者、及び受注者が使用可能な新聞販売店に関する情報と配達可能範囲情報とを関連付けて記憶する受注者記憶手段９，１０とを備え、地図データ記憶手段に格納されている地図データを発注者端末４に表示し、地図データの対象範囲の選択を促し、発注者端末から受信した対象範囲の地域にチラシを配達可能な販売店を有する受注者を受注者記憶手段から選択し、選択された受注者に対する受注者宛ての注文内容の入力を発注者端末に促し、受注された注文内容を選択された受注者に対する受注者への折込部数表を作成し出力する。【選択図】　図２
2004070409.tif 000002
【特許請求の範囲】
【請求項１】
広告の発注者が利用する発注者端末から、広告の受注者が利用する受注者端末と折り込みチラシ発注サーバとからなるネットワークを介して前記折り込みチラシ発注サーバに対して折り込みチラシの発注を行う方法であって、
地図データ上に区分して表示された対象範囲を選択する対象範囲選択ステップと、
前記選択された対象範囲の地域に折り込みチラシを配達可能な販売店を有する受注者であって、前記選択した対象範囲に基づいて折り込みチラシ発注サーバによって選択された受注者宛ての注文内容を指示する注文指示ステップと、
前記折り込みチラシ発注サーバが、前記受注者宛ての注文内容を前記受注者端末に対して折込部数表を出力するステップと、
を有することを特徴とする、折り込みチラシ発注方法。
【請求項２】
前記折り込みチラシ発注サーバによって選択された受注者が複数存在する場合は、少なくとも１つの受注者を選択する選択ステップをさらに備えることを特徴とする、請求項１記載の折り込みチラシ発注方法。
【請求項３】
前記折り込みチラシ発注サーバが出力する前記受注者端末に対する折込部数表は、前記受注者独自のフォーマットにより出力されることを特徴とする、請求項１又は２に記載の折り込みチラシ発注方法。
【請求項４】
前記対象範囲は、行政区域ごとに区分されていることを特徴とする、請求項１乃至３のいずれか１つに記載の折り込みチラシ発注方法。
【請求項５】
地図データ上に区分して表示された対象範囲を選択する対象範囲選択ステップは、任意の所定地点を中心とする一定距離範囲として選択されることを特徴とする、請求項１乃至４のいずれか１つに記載の折り込みチラシ発注方法。
【請求項６】
広告の発注者が利用する発注者端末と、広告の受注者が利用する受注者端末と共にネットワークを構成する折り込みチラシ発注装置であって、
前記折り込みチラシ発注装置は、
所定範囲ごとに区分された地図データを格納する地図データ記憶手段と、
受注者及び受注者が使用可能な新聞販売店に関する情報と、当該新聞販売店が配達可能な範囲に関する情報とを関連付けて記憶する受注者記憶手段と、
地図データ記憶手段に格納されている地図データを発注者端末に表示し、前記地図データの対象範囲の選択を促す範囲選択手段と、
前記発注者端末から受信した対象範囲の地域に折り込みチラシを配達可能な販売店を有する受注者を前記受注者記憶手段から選択する受注者検索手段と、
前記受注者検索手段により選択された受注者に対する受注者宛ての注文内容の入力を前記発注者端末に対して促す受注手段と、
前記受注手段により受注された注文内容を前記選択された受注者に対する受注者への折込部数表を作成し出力する折込部数表作成手段とを備えることを特徴とする、折り込みチラシ発注装置。
【請求項７】
前記受注手段は、前記選択された受注者が複数存在する場合は、少なくとも１つの受注者の選択を促すことを特徴とする、請求項６に記載の折り込みチラシ発注装置。
【請求項８】
前記折込部数表作成手段は、前記受注者独自のフォーマットに基づいて作成されることを特徴とする、請求項６又は７に記載の折り込みチラシ発注装置。
【請求項９】
前記地図データは、所定範囲として、行政区域ごとに区分されていることを特徴とする請求項６乃至８のいずれか１つに記載の折り込みチラシ発注装置。
【請求項１０】
範囲選択手段は、任意の所定地点を中心とする一定距離範囲として前記地図データの対象範囲の選択を促すことを特徴とする、請求項６乃至９のいずれか１つに記載の折り込みチラシ発注装置。
【発明の詳細な説明】
【０００１】
【発明の属する技術分野】
本発明は、新聞と共に配達される新聞折り込みチラシの発注をネットワークを介して行うための装置及び方法に関する。
【０００２】
【従来の技術】
従来より、店舗又は商品などの広告・宣伝を行うために、さまざまな媒体を利用した手法が用いられている。新聞の折り込みチラシもその一つであり、特に限定された地域に広告を行う場合には、効果的な手法となっている。このような折り込みチラシを利用して広告を行う場合には、まず、広告主である発注者は、折り込みチラシの手配を専門に行っている折り込み業者に対し、どの新聞販売店に何部折り込むかを指定して依頼する。依頼を受けた折り込み業者は、指定された新聞販売店に指定された部数のチラシを配送する。チラシを受け取った新聞販売店は、チラシを新聞に折り込み、それぞれの配達先に配達する。
【０００３】
また、折り込み業者では、発注者へのサービスとして、折り込みチラシの効果を分析し、通知を行っている場合もある。
【０００４】
ところで、同じチラシを同一の地域において複数の新聞に折り込みたい場合や、広域にわたって配布したいような場合は、複数の折り込み業者を利用することが多い。また、折り込み業者は独自の管理システムを備えており、独自のフォーマットで注文を受け付け、分析通知を行うことが一般的である。このような場合、広告主である発注者は、それぞれの折り込み業者ごとに異なるフォーマットで注文を行い、それぞれの折り込み業者ごとに通知された異なるフォーマットの広告結果を分析する必要があるため、発注者にとって手間がかかるものであった。
【０００５】
また、広告主は、各新聞販売店の配達エリアや、どの折り込み業者に依頼すれば特定の地域及び特定の新聞社の新聞販売店に頒布できるのかを明確に把握していない場合が多く、広告を希望する地域に配達できなかったり、当該配達地域の新聞販売店と取引のある折り込み業者を特定するための調査などの手間を要していた。
【０００６】
【発明が解決しようとする課題】
したがって、本発明が解決しようとする技術的課題は、チラシを頒布したい地域に配達可能な新聞販売店に必要な部数の注文を確実かつ容易に行うことができる折り込みチラシの発注方法及び発注装置を提供することである。
【０００７】
【課題を解決するための手段および作用・効果】
本発明は、上記技術的課題を解決するために、以下の折り込みチラシ発注方法を提供する。
【０００８】
折り込みチラシ発注方法は、広告の発注者が利用する発注者端末から、広告の受注者が利用する受注者端末と折り込みチラシ発注サーバとからなるネットワークを介して前記折り込みチラシ発注サーバに対して折り込みチラシの発注を行う。そして、地図データ上に区分して表示された対象範囲を選択する対象範囲選択ステップと、前記選択された対象範囲の地域に折り込みチラシを配達可能な販売店を有する受注者であって、前記選択した対象範囲に基づいて折り込みチラシ発注サーバによって選択された受注者宛ての注文内容を指示する注文指示ステップと、前記折り込みチラシ発注サーバが、前記受注者宛ての注文内容を前記受注者端末に対して折込部数表を出力するステップと、を有する。
【０００９】
上記方法は、広告の発注者が、広告の受注者すなわち折り込み業者に対する発注を折り込みチラシ発注サーバに対して行うものである。上記方法において、発注者は、チラシを配達したい対象範囲をまず選択し、この選択された対象範囲に基づいて、折り込みチラシ発注サーバが選択した、前記選択された対象範囲の地域に折り込みチラシを配達可能な販売店を有する受注者（折り込み業者）を選択する。このときの折り込みチラシ発注サーバによる折り込み業者の選択は、新聞社を問わずに行われてもよい。
【００１０】
上記方法によれば、発注者は、自らが選択した対象範囲に配達可能な新聞販売店を基準として受注者（折り込み業者）に対し発注を行う。したがって、対象地域に配達することができる新聞販売店と取引がある受注者を確実に選択することができる。また、発注は、折り込みチラシ発注サーバに対して行うため、複数の受注者に対する注文を同一のフォーマットで行うことができる。また、チラシ配布の効果確認についても、折り込みチラシ発注サーバによって行うことができ、統一されたフォーマットとすることができる。
【００１１】
本発明の折り込みチラシ発注方法は、具体的には以下のように種々の態様とすることができる。
【００１２】
好ましくは、前記折り込みチラシ発注サーバによって選択された受注者が複数存在する場合は、少なくとも１つの受注者を選択する選択ステップをさらに備える。
【００１３】
上記方法において、受注者は、発注者が選択した対象範囲に基づいてサーバによって選択されるため、同じ地域に配達可能な新聞販売店を有する受注者が複数選択される場合がある。この場合には少なくとも一つを選択する。選択は、発注者が行ってもよいし、低価格の受注者等所定の条件を基準として折り込みチラシ発注サーバが自動的に選択するようにしてもよい。
【００１４】
好ましくは、前記折り込みチラシ発注サーバが出力する前記受注者端末に対する折込部数表は、前記受注者独自のフォーマットにより出力される。
【００１５】
上記方法において、上述のように上記方法においては、発注者は折り込みチラシ発注サーバに対して、統一されたフォーマットで発注することができ、発注手続を容易にすることができる。しかし、各折り込み業者は、それぞれ独自の管理システムを備え、独自に顧客管理などを行っているため、それぞれ折り込み業者ごとに用いるフォーマットが異なる。したがって、上記方法によって、折り込みチラシ発注サーバから受注者に対する注文内容の通知は、受注者ごとに異なるフォーマットを用いることにより、受注者は現在のシステムをそのまま利用することができ、受注者の手間も軽減することができる。
【００１６】
また、本発明は、以下の構成の折り込みチラシ発注装置を提供する。
【００１７】
折り込みチラシ発注装置は、広告の発注者が利用する発注者端末と、広告の受注者が利用する受注者端末と共にネットワークを構成するものである。そして、所定範囲ごとに区分された地図データを格納する地図データ記憶手段と、受注者及び受注者が使用可能な新聞販売店に関する情報と、当該新聞販売店が配達可能な範囲に関する情報とを関連付けて記憶する受注者記憶手段と、地図データ記憶手段に格納されている地図データを発注者端末に表示し、前記地図データの対象範囲の選択を促す範囲選択手段と、前記発注者端末から受信した対象範囲の地域に折り込みチラシを配達可能な販売店を有する受注者を前記受注者記憶手段から選択する受注者検索手段と、前記受注者検索手段により選択された受注者に対する受注者宛ての注文内容の入力を前記発注者端末に対して促す受注手段と、前記受注手段により受注された注文内容を前記選択された受注者に対する受注者への折込部数表を作成し出力する折込部数表作成手段とを備える。
【００１８】
上記構成によれば、受注者端末から送信された折り込みチラシの配達を希望する対象範囲にもとづいて、当該範囲に配達可能な新聞販売店および当該新聞販売店と取引を有する受注者を検索する。発注者は、検索された受注者に対するどの新聞販売店に何部のチラシを発注するかの情報を入力し、折り込みチラシ発注サーバに送信する。折り込みチラシ発注サーバは、この注文内容に基づいて、受注者への折込部数表を作成し、電子メール、ＦＡＸなどの手段によって受注者端末に対し出力する。
【００１９】
したがって、上記構成によれば、発注者は自らが選択した対象範囲に配達可能な受注者（折り込み業者）が選択される。したがって、対象地域に配達することができる新聞販売店と取引がある受注者が確実に選択される。また、発注は、折り込みチラシ発注サーバに対して行うため、複数の受注者に対する注文を同一のフォーマットで行うことができる。また、チラシ配布の効果確認についても、折り込みチラシ発注サーバによって行うことができ、統一されたフォーマットとすることができる。
【００２０】
【発明の実施の形態】
以下、本発明の一実施形態に係る折り込みチラシ発注システムについて、図面を参照しながら説明する。
【００２１】
図１は本発明の実施形態にかかる折り込みチラシ発注システムのシステム構成図である。図１に示すように、折り込みチラシ発注システム１は、ネットワーク２に接続されたチラシ発注サーバ３、発注者端末４、受注者端末５とで構成される。
【００２２】
発注者端末４は広告の発注者、すなわち、広告主が利用する端末であり、折り込み広告発注のための指示画面を表示するための手段と、注文内容を入力するための入力手段とを備えることが必要である。本実施形態では、ブラウザを搭載した汎用のパーソナルコンピュータを用いることができる。
【００２３】
受注者端末５は、広告の受注者、すなわち、折り込み業者が利用する端末であり、発注者からの注文内容を受信するための手段を備えることが必要である。本実施形態では、汎用のパーソナルコンピュータやＦＡＸ等でも実現することができる。なお、後述するように、受注者端末は、自己と取引のある新聞販売店及び当該販売店の最大配布数に関する情報をチラシ発注サーバ２に送信することができる。その場合、発注者端末は、これらの情報を表示し、入力するための手段を備えたパーソナルコンピュータを用いることが好ましい。
【００２４】
チラシ発注サーバ３は、ＷＷＷサーバ機能を有するサーバコンピュータであり、ネットワーク２を介して発注者端末４および受注者端末５に対して、必要な機能を提供する。チラシ発注サーバ３は、図２に示すように、ネットワークとの情報の送受信をつかさどる送受信部６と、サーバ全体の処理をつかさどる制御演算部２０と、種々の情報を格納した記憶手段７〜１２とを備えている。制御演算部２０には、後述するように、種々の機能を実現するための手段を備えており、図示しないメインプログラムが起動するにことによって実現される。記憶手段７〜１２には、履歴情報（履歴情報記憶手段７）、地図情報（地図情報記憶手段８）、発注者情報（発注者情報記憶手段９）、受注者情報（受注者情報記憶手段１０）、販売店情報（販売店情報記憶手段１１）、折込部数表情報（折込部数表情報記憶手段１２）が格納されている。
【００２５】
履歴情報７は、本システムの発注者が過去行った折込チラシの発注内容に関する情報が記録されている。地図情報８は、行政区域ごとに区分された日本全国の地図の情報である。地図情報上のある地点を特定することができるように、緯度・経度の情報を備えていてもよい。地図情報８は、後述するように、地図情報上の区分された区画ごとに、この区画に折込チラシを配達可能な新聞販売店を特定するために用いられる。発注者情報９は、発注者であるチラシの広告主に関する情報であり、具体的には、識別子、ログインのためのパスワード、住所や名称などの個人情報、所在地の緯度・経度情報などが格納される。受注者情報９は、受注者である折込業者に関する情報であり、具体的には、識別子、住所や名称などの個人情報、所在地の緯度・経度情報、取引可能な新聞販売店、使用する折込部数表情報のフォーマット情報、価格設定などの情報が格納されている。取引可能な新聞販売店に関する情報は、販売店情報１１に格納されている新聞販売店の識別子と互いに関連付けて記憶されている。販売店情報１１は、折込広告を実際に配布する新聞販売店に関する情報であり、識別子、名称、配達可能地域、緯度・経度、取り扱い新聞名、新聞配達部数等の情報が格納されている。配達可能地域は、地図情報８に区分された区画と関連付けられて格納されている。販売店情報は、例えば、新聞配達部数など各情報の受注者端末によって変更されるようになっている。折込部数表情報１２は、後述するように、発注者により発注された受注者に注文内容を通知するための折込部数表に関する情報を記憶するものである。本実施形態では、取り扱う受注者ごとにフォーマットが異なるという現状に鑑みて、受注者独自のフォーマットで注文内容を通知すベく、種々のフォーマットの折込部数表の情報を格納している。
【００２６】
次に本実施形態にかかる折込チラシ発注システム１の処理動作について説明する。ここでは本システムを利用して、広告主である発注者が、所望する配布領域にチラシを配達することができる新聞販売店と取引のある折り込み業者を検索するとともに、当該折り込み業者に注文をする処理について説明する。図３は、上記処理の流れを示すフロー図である。
【００２７】
まず、発注者が、発注者端末４においてブラウザを起動し、チラシ発注サーバへアクセスし（＃１）、所定のＵＲＬを指定する。以下、発注者端末４においてのチラシ発注システムは、チラシ発注サーバから提供されて駆動する。チラシ発注サーバ３へのアクセスが通じると、まず、発注者端末４には、ログイン画面（図示なし）が表示される。ログイン画面においては、発注者の識別子とパスワードの入力が求められる。入力された識別子とパスワードはチラシ発注サーバ３の発注者情報記憶手段９に格納されている情報と認証され、正当な利用者であると判断された場合は、チラシ選択画面が表示される。
【００２８】
図４にチラシ選択画面の画面表示例を示す。図４に示すように、チラシ選択画面においては、あらかじめチラシ発注サーバ３の記憶手段に登録されている当該発注者のチラシが一覧で表示される。発注者は、当該一覧の中から今回の操作において頒布したいチラシを選択し、折込部数入力ボタンをクリックする。
【００２９】
チラシ発注サーバは、発注者が、頒布したいチラシについての折込部数入力ボタンがクリックされた情報を受信すると、注文指示画面を表示する（＃３）。注文指示画面では、まず、チラシを配達したい地域を選択する。チラシを配達したい地域の選択は、制御演算部２０の範囲選択手段２１が処理をつかさどる。チラシを配達したい地域は、チラシ発注サーバ３の地図情報記憶手段８に格納されている情報を用いることによって選択する。画面には、最初に都道府県レベルの広域の地図が表示され、区分された領域を発注者が選択していくことにより、徐々に市町村レベル、町・番地レベルといった詳細な地図が表示される。具体的には、図５に示すように、近畿地方の広域地図が表示され、この中から１または複数の都道府県を選択することにより、順次図６に示すような町レベルの詳細図に切り替わっていく。選択には、マウスなどの入力機器を用いて、地図上の区画領域をクリックすることにより行われ、選択された領域は強調表示がされる。
【００３０】
配達領域の選択において、発注者が、折込業者を指定したい場合は、当該選択した地域に配達可能なすべての折込業者が一覧として表示される。この折込業者の表示は、チラシ発注サーバ３の販売店情報記憶手段１１に格納されている当該地域に配達可能な新聞販売店と取引のある折込業者を受注者情報記憶手段１０から検索することによって行われる。具体的には、図５では、都道府県として、京都府が選択されているため、京都府下にチラシを配達可能な受注者（折込業者）Ａ社乃至Ｃ社が表示される。このときの受注者の検索においては、新聞社別の検索は行われず、すべての新聞に対する折込業者が対象となる。さらに、図６に示すような町レベルの詳細な地図に切り替わると、再検索され検索結果が表示される。
【００３１】
発注者は、図５に示すような広域地図又は図６に示すような詳細地図を用いて、チラシを配達したい行政区画を選択する。例えば、都道府県全域に配達したいような場合は、図５における選択を決定すればよく、さらに詳細な特定の市町村の町ごとに配達したいような場合は、図６における選択を決定すればよい。図７に配達地域の選択の処理時における画面表示例を示す。図７においては、図６の特定の市町村の町ごと区画された詳細地図を用いて、画面に表示されているａ町からｓ町のうち、ａ町からｇ町が選択され、強調表示された状態を示している。
【００３２】
図８は、配達地域の選択についての変形例を示す図である。図８においては、配達地域を地図上の特定の地点５１を中心として所定距離範囲内にある行政区画を選択するように構成されている。特定の地点５１としては、例えば、当該発注者の店舗位置などを利用することができる。図８では、特定の地点５１を中心とする所定距離内に位置する、ｂ町乃至ｇ町が選択される。
【００３３】
配達領域が決定されると、チラシ発注サーバ３は、当該選択された配達領域にチラシの配達可能な新聞販売店を検索し、当該新聞販売店と取引のある受注者（折込業者）を検索する（＃５）。受注者の選択は、チラシ発注サーバ３中の制御演算部２０の受注者検索手段２２が処理をつかさどる。図９に、選択された新聞販売店を表示する画面の表示例を示す。この画面においては、新聞社ごとに分けられた新聞販売店の情報が表示される。新聞販売店の情報としては、名称、配達可能な地域、新聞の配布部数等が挙げられる。これらの情報は、チラシ発注サーバの販売店情報記憶手段１１に格納されている。新聞社の切替は画面上の新聞社指定のメニューを切り替えることによって行われる。
【００３４】
なお、先の配達領域の選択画面において、発注者が折込業者を指定した場合は、当該折込業者と取引のある新聞板売店のみが表示される。図９では、選択された地域にチラシをＡ新聞に折り込んで配達可能な新聞販売店を折込業者の指定がない場合を例として表示する。このとき、受注者（折込業者）ごとに分けた表示がなされていなくてもよい。
【００３５】
発注者は、画面の新聞販売店の情報を確認し、チラシの配達を依頼する新聞板売店を任意に選択し、その折込部数の欄に当該新聞販売店でのチラシの配達部数を入力する（＃６）。チラシの配達部数の入力については、各新聞販売店の新聞配布部数を参考にしてこれを超えない範囲で数値を入力することが好ましい。図９に表示の流用ボタンをクリックすると、履歴情報記憶手段７に格納されている過去の注文内容を読み出して、先に注文した新聞販売店に同じ部数の発注を行うように数値が自動入力される。
【００３６】
このようにして各新聞販売店に対する部数の入力が終わったら、画面上に表示されている注文ボタン（図示なし）をクリックすることによって、注文内容の一覧が表示される。図１０は確認画面の表示例である。発注者が注文内容を確認した後、確認ボタンをクリックすることにより注文データがチラシ発注サーバ３に送信される。
【００３７】
注文内容の情報を受信したチラシ発注サーバ３は、入力された注文内容のデータを登録する（＃７）。注文データの登録は、チラシ発注サーバ３の制御演算手段２０の受注手段２３がつかさどる。ここまでの処理が終了すると、発注者端末には注文受付完了の表示がなされ、発注者が行う発注処理は終了する。
【００３８】
チラシ発注サーバ３は、発注者からの注文データに基づいて注文データに含まれる各新聞販売店の取引先である受注者（折り込み業者）ごとに折込部数表を作成する（＃８）。折込部数表の作成はチラシ発注サーバ３の制御演算手段２０の折込部数作成手段２４がつかさどる。折込部数表の作成は、まず、注文データに含まれる各新聞販売店の取引先である受注者を受注者情報記憶手段１０から検索する。検索された受注者が複数存在する場合は、それぞれについて折込部数表情報記憶手段１２に格納されている折込部数表の元データを用いて、注文データの注文内容を含む折込部数表データを作成する。
【００３９】
折込部数作成手段２４により作成される折込部数表データのフォーマットは、各受注者が利用するフォーマットに合わせて作成される。各受注者は独自のシステムを用いて顧客などの管理を行っているため、用いられるフォーマットが異なることが一般的である。したがって、チラシ発注サーバ３から受注者端末に送信される折込部数表のフォーマットとしてそれぞれの受注者独自のものに合わせることにより現在のシステムを利用することができ、受注者側の利用性の便宜を図ることができる。
【００４０】
作成された折込部数表データは、それぞれ対応する受注者端末に送信される（＃９）。これにより、それぞれの対象である受注者が受注者端末により入力された注文内容を取得することができ注文の処理は終了する。受注者は取得した注文内容にしたがって折込チラシの手配を行い、各新聞販売店に配布する。
【００４１】
チラシ発注サーバ３から受注者端末５への折込部数表の送信手段は、受注者が折込部数表を支障なく受信することができればその種類は問わない。例えば、電子メール、ＦＡＸなどの手段を用いることができる。
【００４２】
上述のように、本実施形態にかかるチラシ発注システムによれば、発注者は、チラシを配達したい地域を選択することで、当該地域にチラシを配達可能な新聞販売店を検索し、当該新聞販売店と取引のある折込業者である受注者に注文内容が送信される。したがって、特定の頒布地域において、チラシを配達可能な新聞社と取引のある受注者を容易にみつけることができる。また、一つの地域に複数の新聞に折り込んでチラシを頒布したい場合や広域に渡ってチラシを頒布したい場合など、複数の受注者に発注を必要とする場合において、発注者は１つの手続で同時に複数の受注者に注文することができる。また、発注者が注文を入力する段階では、受注者ごとに異なるフォーマットを用いて注文を行う必要がなく、発注者側の手間を軽減することができる。一方、受注者側へはそれぞれの受注者独自のフォーマットの折込部数表が送信されるため、受注者側の手間も軽減される。
【００４３】
本実施形態にかかるチラシ発注システムにおいて、チラシ頒布の効果確認を行うためには、各発注者は、売上に関するデータをチラシ発注サーバに送信することが好ましい。上述のように、チラシ発注サーバ３には、受注者別に関係なくチラシの配達地域と配達枚数のすべての情報が格納されるため、地域や受注者別に異なるフォーマットではなく、統一した効果確認を行うことができる。
【００４４】
以上説明したように、本実施形態にかかるチラシ発注システムは、チラシを頒布したい地域を受注者が選択し、当該地域にチラシを配達可能な新聞販売店を検索したのちにさらに当該新聞販売店と取引のある受注者である折込業者を選択する。このように当該頒布地域に密接した新聞販売店を基準として受注者を選択することにより、より発注者の意図に沿ったチラシの頒布を行うことができる。また、複数の種類の新聞にチラシを折り込みたいような場合でも、発注処理は統一されたフォーマットを用いて１回ですむため、複数の受注者を利用することによる発注手続の手間を軽減することができる。
【００４５】
なお、本発明は上記実施形態に限定されるものではなく、その他種々の態様で実施可能である。
【図面の簡単な説明】
【図１】本発明の実施形態にかかる折り込みチラシ発注システムのシステム構成図である。
【図２】図１のシステムのチラシ発注サーバの構成図である。
【図３】図１のシステムにおける処理の流れを示すフロー図である。
【図４】発注者端末に表示されるチラシ選択画面の画面表示例である。
【図５】発注者端末に表示される注文指示画面の画面表示例である。
【図６】発注者端末に表示される注文指示画面の地図表示領域を示す図である。
【図７】範囲選択が行われた発注者端末に表示される地図表示領域を示す図である。
【図８】範囲選択が行われた発注者端末に表示される地図表示領域の変形例を示す図である。
【図９】発注者端末に表示される部数入力欄を示す図である。
【図１０】発注者端末における部数確認欄を示す図である。
【符号の説明】
１　チラシ発注システム
２　ネットワーク
３　チラシ発注サーバ
４　発注者端末
５　受注者端末
６　送受信部
７　履歴情報記憶手段
８　地図情報記憶手段
９　発注者情報記憶手段
１０　受注者情報記憶手段
１１　販売店情報記憶手段
１２　折込部数表情報記憶手段。
２０　制御演算部
２１　範囲選択手段
２２　受注者検索手段
２３　受注手段
２４　折込部数表作成手段
【図１】
2004070409.tif 000003
【図２】
2004070409.tif 000004
【図３】
2004070409.tif 000005
【図４】
2004070409.tif 000006
【図５】
2004070409.tif 000007
【図６】
2004070409.tif 000008
【図７】
2004070409.tif 000009
【図８】
2004070409.tif 000010
【図９】
2004070409.tif 000011
【図１０】
2004070409.tif 000012